(57)【要約】【課題】  広範囲に亘って意匠表示を表すことができ、消費者の興味を惹き付けることができるオーバーラップ包装体を提供することを課題とする。【解決手段】  容器３００と、この容器３００の外側の一部分を覆い、且つシートを折り曲げることにより組み立てられた外装体４００と、を備える包装体２００が、意匠印刷の施された熱収縮性のあるオーバーラップフィルム５００にて被覆されているオーバーラップ包装体。この外装体４００は剛性を有するシートからなり、外装体４００の上面部４３１の形状は、容器３００の上面部３３０とは異なる形状に形成されている。【選択図】  図２
2007099373.tif 000002
【特許請求の範囲】
【請求項１】
容器と、容器の外側の一部分を覆い且つシートを折り曲げることにより組み立てられた外装体と、を備える包装体が、意匠印刷の施された熱収縮性のオーバーラップフィルムにて被覆されていることを特徴とするオーバーラップ包装体。  
【請求項２】
前記シートが、剛性を有するシートであり、前記外装体が、容器の側面周囲を覆う多面体状に形成されている請求項１記載のオーバーラップ包装体。
【請求項３】
前記シートが、剛性を有するシートであり、前記外装体が、容器の上面部に対面する上面部を有し、外装体の上面部が、容器の上面部と異なる形状に形成されている請求項１記載のオーバーラップ包装体。
【請求項４】
前記外装体の上面部が、矩形状に形成されている請求項３記載のオーバーラップ包装体。
【請求項５】
前記外装体の矩形状上面部の少なくともコーナーが、複数の頂点部によって形成されている請求項４記載のオーバーラップ包装体。
【発明の詳細な説明】
【技術分野】
【０００１】
本発明は、容器に外装体が被せられてなる包装体を、意匠印刷の施されたオーバーラップフィルムにて被覆したオーバーラップ包装体に関する。
【背景技術】
【０００２】
食料品や日用品などの各種商品は、一般に、容器やラップフィルムなどで包装された包装体の態様で市場に供給されている。かかる包装体には、消費者の興味を引くなどの目的のため、絵柄、商標、商品の説明書きなどの意匠表示が表されている。このような意匠表示を表す方法としては、例えば、商品が収納された容器外面に意匠印刷を施す（意匠表示を印刷する）方法や、或いは、意匠印刷が施された外装体で容器を覆う方法などが知られている。この外装体は、例えば、厚紙などの剛性を有するシートを折り曲げて側面視矩形状の筒状体に組み立てられたものが用いられており、該外装体は、容器の上下面部及び対向する両側面部を覆うように容器に被せられている。なお、このような外装体は、包装業界で紙サックとも呼ばれている。また、防塵などのため、容器に被せた外装体の周り全体に、更に、透明なオーバーラップフィルムを被覆した包装体も知られている。
そして、上記のような意匠印刷の施された外装体を容器に被せることにより、直接意匠印刷が困難な容器からなる包装体に意匠表示を表すことができる。
【０００３】
しかしながら、上記外装体は、容器の外側の一部分を覆うものであるため（上記矩形筒状体に形成された外装体の場合には、容器の正面部及び背面部は、外装体で覆われていない）、全面に意匠印刷が施された外装体を用いても、該外装体で覆われていない部分には、意匠表示を表すことができない。従って、かかる包装体は、意匠表示による消費者の興味を十分に引き付けることができない。また、包装体の外部から、容器の一部が見えるため、外観を損ねるという問題もある。
【発明の開示】
【発明が解決しようとする課題】
【０００４】
そこで、本発明は、包装体に、広範囲に亘って意匠表示を表すことができ、消費者の興味を惹き付けることができるオーバーラップ包装体を提供することを課題とする。
【課題を解決するための手段】
【０００５】
本発明は、容器と、この容器の外側の一部分を覆い、且つシートを折り曲げることにより組み立てられた外装体と、を備える包装体が、意匠印刷の施された熱収縮性のあるオーバーラップフィルムにて被覆されていることを特徴とするオーバーラップ包装体を提供するものである。
【０００６】
上記オーバーラップ包装体は、容器と容器を覆う外装体とで構成された包装体が、意匠印刷の施されたオーバーラップフィルムで被覆されているので、外装体で覆われない部分についても意匠表示を表すことができる。従って、かかるオーバーラップ包装体によれば、包装体の外側ほぼ全体に意匠表示を表すことが可能となる。よって、本発明のオーバーラップ包装体によれば、広範囲に亘って意匠表示を表すことができ、消費者の興味を十分に惹き付けることができる。また、オーバーラップフィルムに意匠印刷が施されているので、オーバーラップフィルムの内部に存する容器などが外部から殆ど見えず、外観も良好となる。
【０００７】
また、本発明の好ましい態様では、上記シートが、剛性を有するシートであり、外装体が、容器の側面周囲を覆う多面体状に形成されている上記オーバーラップ包装体を提供する。ここで、剛性を有するシートとは、オーバーラップフィルムを熱収縮装着した際に、オーバーラップフィルムの収縮力によって実質的に変形しない程度の強度を有するシートを指す。
【０００８】
上記オーバーラップ包装体は、容器の側面周囲に多面体状の外装体が覆われてなる包装体が、意匠印刷の施された熱収縮性のオーバーラップフィルムで被覆されている。
熱収縮装着されたオーバーラップフィルムは、外装体の外形（最外部）に沿って密着するので、オーバーラップ包装体の側面周囲の形状（オーバーラップフィルムの形状）は、容器の形状に拘わらず、外装体と同じ形状（多面体状）となる。つまり、例えば、側面周囲が略円筒状の容器が包装されていても、オーバーラップ包装体の側面周囲の形状は多面体状となる。
【０００９】
上記のように、意匠印刷の施されたオーバーラップフィルムで被覆された本発明のオーバーラップ包装体は、内部に存する容器などが外部から殆ど見えない。従って、上記好ましい態様のオーバーラップ包装体の外形を見た消費者は、例えば、胴部が円筒状に形成された容器が包装されていても、多角形状の胴部を有する容器が包装されているものと推測し、その後、オーバーラップフィルムを除去した時点で、初めて円筒状胴部を有する容器が包装されていたことが分かることとなる。よって、かかる好ましい態様のオーバーラップ包装体によれば、包装された実際の容器とは異なる形状に擬装でき、面白味のある包装形態を提供できる。
【００１０】
さらに、本発明の好ましい態様では、上記シートが、剛性を有するシートであり、外装体が、容器の上面部に対面する上面部を有し、外装体の上面部が、容器の上面部とは異なる形状に形成されている上記オーバーラップ包装体を提供する。
かかるオーバーラップ包装体は、熱収縮装着されたオーバーラップフィルムが外装体の外形（最外部）に沿って密着するので、オーバーラップ包装体の上面部形状は、容器の上面部形状に拘わらず、外装体の上面部と同じ形状となる。例えば、上面部が円形状の容器が包装されていても、オーバーラップ包装体の上面部形状は、容器の上面部形状と異なる形状となる。
従って、かかるオーバーラップ包装体も上記と同様に、包装された実際の容器とは異なる形状に擬装でき、面白味のある包装形態を提供できる。
【００１１】
また、本発明の好ましい態様では、上記外装体の上面部が、矩形状に形成されている上記オーバーラップ包装体を提供する。
かかるオーバーラップ包装体は、外装体の上面部が矩形状に形成されているので、例えば、上面部が円形状の容器を外装体にて覆うことにより、オーバーラップ包装体は、包装された実際の容器とは全く異なる形状に擬装できる。
【００１２】
さらに、本発明の好ましい態様では、上記外装体の矩形状の上面部の少なくともコーナーが、複数の頂点部によって形成されているオーバーラップ包装体を提供する。
【００１３】
一般に、剛性のあるシートからなり且つ矩形状の上面部を有する外装体は、矩形状の上面部のコーナーに尖った角部を有する。このような尖った角部を有する外装体の周りにオーバーラップフィルムを熱収縮させると、少なくとも矩形状の上面部の角部の一点に於いてオーバーラップフィルムに大きな収縮応力が加わることとなる。その結果、外装体の上面部の角部及びこの近傍に於けるフィルム部分と、他のフィルム部分との熱収縮差が極めて大きくなる。従って、オーバーラップフィルムに印刷された意匠表示の歪みが大きくなり、場合によっては、オーバーラップフィルム自体が破れる虞がある。
この点、上記好ましい態様のオーバーラップ包装体は、外装体の矩形状の上面部の少なくともコーナーが複数の頂点部によって形成されているので、オーバーラップフィルムの収縮応力は複数の頂点部に分散される。従って、各頂点部近傍に於けるフィルム部分と他のフィルム部分との熱収縮差が小さくなり、意匠表示の歪みを小さくでき、又フィルム破損を防止できる。
【発明の効果】
【００１４】
本発明に係るオーバーラップ包装体は、広範囲に亘って意匠表示を表すことができるので、消費者の興味を惹き付けることができる。
さらに、本発明の好ましい態様では、オーバーラップ包装体の外形を、包装された容器と異なる形状に擬装することもできるので、面白味のある包装形態を提供することができる。
【発明を実施するための最良の形態】
【００１５】
以下、添付図面を参照しつつ、本発明の実施形態に係るオーバーラップ包装体について説明する。
【００１６】
（実施形態１）
図１〜図３に於いて、オーバーラップ包装体１００は、容器３００と、この容器３００の外面の一部分を覆い、且つシートを折り曲げることにより組み立てられた外装体４００と、を備える包装体２００が、意匠印刷の施された熱収縮性のあるオーバーラップフィルム５００にて被覆されて構成されている。
【００１７】
容器３００は、例えば、図４に示すように、上面開口型のカップ状の容器本体３１０と、容器本体３１０の開口を塞ぐ蓋体３２０と、から構成されている。
【００１８】
容器本体３１０は、例えば平面視円形状（真円状の他、楕円状、一部に突起部分を有する円形状などを含む）で、且つ、図４に示すように側面視台形状に形成されている。この容器本体３１０は、自立面となる底部３１１と、開口３１４を形成する側壁部３１２と、蓋体３２０を取り付けるフランジ部３１３と、から構成されている。底部３１１は、開口３１４と同様に、平面視円形状に形成されている。側壁部３１２（容器本体３１０の胴部）は、底部３１１の外周部に立設され、下端（底部３１１側）から上端にかけて径が次第に大きくなる円筒状に形成されており、上端内側にて円形状の開口３１４を形成している。フランジ部３１３は、内周が側壁部３１２の上端に一体的に設けられ、側壁部３１２の上端から外側に延在した平面視リング状に形成されている。容器本体３１０の材質は、特に限定されるものでなく、例えば、合成樹脂成形品、発泡樹脂成形品、紙などを用いることができる。
なお、容器本体３１０の形状は、特に限定されるものでなく、例えば、全体として上面開口型円筒状に形成されたもの、全体として立方体状などの上面開口型多角柱状に形成されたもの、上端から下端にかけて拡径した上面開口型円錐台状などの従来公知の形状のものを用いることができる。
【００１９】
蓋体３２０は、例えば、容器本体３１０の開口３１４を塞ぎ、且つフランジ部３１３と確実に固着できるように、平面視円形状のシート体から構成されている。かかる蓋体３２０は、その外周部３２１がフランジ部３１３と熱溶着されることによって固着され、開口３１４を閉塞している。蓋体３２０の材質は、特に限定されるものでなく、例えば、ガスバリア性及び／又は遮光性を有する熱溶着可能な合成樹脂フィルム、又は該フィルムを備える積層シートなどを用いることができる。
なお、蓋体３２０は、上記のようなシート体に限定されず、例えば、シート真空成形品、射出成形品などの成形体で構成することもできる。シート成形品にて蓋体３２０を構成する場合、通常、該成形品の外周部に、フランジ部３１３と嵌合可能な係止突起を形成することにより、蓋体３２０がフランジ部３１３に固着される。
【００２０】
上記容器３００に収納される内容物は、特に限定されるものでなく、例えば、ラーメンやうどんなどのインスタント麺、惣菜、菓子などの飲食品、その他、日用品などの各種商品を収納することができる。
【００２１】
次に、外装体４００は、上記容器３００の外面側の一部分を覆うものであって、例えば、図５に示すように、剛性のある展開シート４０１を折り曲げて組み立てることにより、側面視矩形状の組立体から構成されている。
かかる側面視矩形状の外装体４００は、容器３００に被せられた状態に於いて、図２に示すように、容器３００の外面側のうち４つの面部側（例えば、容器３００の上面部３３０側、下面部３４０側及び対向する両側面部３５０，３６０側）を覆っている。従って、包装体２００に於いては、図３に示すように、容器３００の残りの２つの胴面部側（容器３００の正面部３７０側及び背面部３８０側）は、外装体４００によって覆われておらず、露出した状態となっている。
【００２２】
具体的には、外装体４００は、平坦状の上面部４３１及び下面部４４１が形成され、且つ該上面部４３１の両側縁と下面部４４１の両側縁の間に、平坦状の両側面部４５１，４６１がそれぞれ形成されており、該平坦状の４面部４３１，…が略直角に連結されることによって矩形筒状に形成されている。また、外装体４００の上面部４３１、下面部４４１及び両側面部４５１，４６１は、何れも平面視矩形状（矩形状には、例えば、正方形、長方形状、平行四辺形状、４辺の長さが異なる四角形状、角部が円弧状や直線状に角取りされた四角形状などが含まれる）に形成されている。該外装体４００の矩形状の上面部４３１及び下面部４４１は、その角部４８０（コーナー）が容器３００の上面部３３０及び下面部３４０の外方へ突出し、且つ折り目線４０２が容器３００の周縁に外接するような大きさに形成されている。
そして、この外装体４００の上面部４３１及び下面部４４１が容器３００の上面部３３０及び下面部３４０にそれぞれ対面し、且つ外装体４００の両側面部４５１，４６１が容器３００の両側面部３５０，３６０側に対面するように、外装体４００は、容器３００に被せられている。
尚、この外装体４００の上面部４３１には、図５に示すように、容器３００のフランジ部３１３を挿入係止可能な切込部４３２が対向形成されている。この切込部４３２に容器３００のフランジ部３１３を保持させることで、容器３００が外装体４００から脱落しないようになっている。
【００２３】
外装体４００を構成する展開シート４０１は、図５（ｂ）に示すように、平面視矩形状に形成された剛性を有するシートからなり、折り目線４０２を介して長手方向に５つの領域に区画されている。
具体的には、展開シート４０１は、幅方向に伸びる折り目線４０２を、長手方向に所定間隔を開けて４本形成することにより、５つの領域に区画されている。展開シート４０１の中央部には、外装体４００の上面部４３１を構成する平面視矩形状の中央領域が形成され、この両側に、折り目線４０２を介して外装体４００の両側面部４５１，４６１を構成する中間領域が形成され、この両側に、折り目線４０２を介して外装体４００の下面部４４１を構成する一対の端部領域が形成されている。折り目線４０２としては、図示したようにミシン目を刻設する手段の他、ハーフカット線、押罫線などを用いることもできる。
【００２４】
尚、展開シート４０１の一方の端部領域の中央部には、差込口４４１ａが形成され、且つ他方の端部領域の中央縁部には、該差込口４４１ａに差し込まれて係止される差込片４４２ａが突設されている。展開シート４０１を折り目線４０２にて折り返し、且つ差込片４４２ａを差込口４４１ａに係止することにより、外装体４００は矩形筒状に形成される。
また、展開シート４０１の中央領域の長手方向両端には、容器３００のフランジ部３１３の一部を挿入可能な切込部４３２がそれぞれ形成されている。両切込部４３２は、折り目線４０２上に沿って切り込まれた第１切込線４３２ａと、各第１切込線４３２ａの両端から僅かに中央側に切り込まれた第２切込線４３２ｂとから構成されている。
【００２５】
上記展開シート４０１は、剛性を有するシートであれば特に限定されるものでなく、例えば厚紙、合成紙、合成樹脂などを用いることができる。該シートの厚みは、例えば、厚紙の場合には、０．５ｍｍ〜１．５ｍｍ程度のものが例示される。
尚、剛性を有するシートとは、熱収縮性のオーバーラップフィルム５００を熱収縮装着した際に、オーバーラップフィルム５００の収縮力によって実質的に変形しない程度の強度を有するシートを言う。
【００２６】
上記のような容器３００と外装体４００とを備える包装体２００を被覆するオーバーラップフィルム５００は、意匠印刷が施された熱収縮性フィルムからなる。
かかるオーバーラップフィルム５００は、一般にピロー包装と呼ばれる包装形態のフィルムである。該オーバーラップフィルム５００は、図６（ａ）に示すように、包装体２００を包み込むように、フィルムを筒状にし、重ね合わせた両側端部を長手方向に線状に熱溶着する（この両側端部の熱溶着部分を「センターシール部５１１」という）と共に、該筒状のフィルムの両側を幅方向に熱溶断する（この両側の熱溶着部分を「両端シール部５１２」という）ことにより、３方熱シールされた袋体を形成した後、熱収縮させることで包装体２００を被覆している。
該オーバーラップフィルム５００は、包装体２００の周囲全体に熱収縮装着されているため、包装体２００の外形（主として外装体４００の最外部形状）に沿って密着している。
【００２７】
オーバーラップフィルム５００は、例えば、図６（ｂ）に示すように、熱収縮性の基材フィルム５１０と、基材フィルム５１０の内面（又は外面）に設けられた意匠印刷層５２０と、から構成されている。基材フィルム５１０としては、熱収縮性を有し、且つ熱溶着可能なものであれば特に限定されず、例えば、２軸延伸ポリプロピレンフィルムやポリエチレンフィルムなどを使用することができる。該フィルムの厚みは、通常１０〜４０μｍ程度のものが用いられる。また、基材フィルム５１０は、通常、透明又は半透明のものが用いられる。
意匠印刷層５２０は、グラビア印刷法などの公知の印刷法による多色刷りによって、商品名、絵柄、商品説明、広告などの所望の意匠表示が表されている。
【００２８】
上記オーバーラップフィルム５００のセンターシール部５１１及び両端シール部５１２に相当する領域には、意匠印刷層５２０が設けられていない。尚、図６（ａ）に於いて、便宜上、意匠印刷層５２０が設けられた領域を薄墨塗りで示している。
従って、オーバーラップフィルム５００は、センターシール部５１１及び両端シール部５１２に於いて、意匠表示が表されていない非印刷領域が形成され、この領域に於いて内部が透視可能となっている。
このようにオーバーラップフィルム５００の一部分を通じて内部が透視できるオーバーラップ包装体１００は、オーバーラップフィルム５００を除去しなくても、この部分から包装された容器３００などを目視で確認することができる。
尚、オーバーラップフィルム５００の非印刷領域は、センターシール部５１１や両端シール部５１２に形成する場合に限られず、例えば、センターシール部５１１及び両端シール部５１２以外の領域に、非印刷領域を窓状に設けることも可能である。
【００２９】
もっとも、上記センターシール部５１１及び両端シール部５１２を含め、オーバーラップフィルム５００の全体に、意匠印刷層５２０を設けることも可能である。すなわち、非印刷領域を有しないオーバーラップフィルム５００を用いてオーバーラップ包装体１００を構成することもできる。
このようにオーバーラップフィルム５００全体に意匠印刷層５２０を設ける手法としては、例えば、特開２００４−１５７９６３公報や特開２００５−１３２４５３公報に開示されている技術を用いることができる。
これを本願に合わせて簡単に説明すると、オーバーラップフィルム５００の基材フィルム５１０の外面のうち、センターシール部５１１及び両端シール部５１２を含めたシール部近傍領域に、耐熱性インキを用いて意匠印刷を施す。耐熱性を有するインキとしては、例えば、ポリアミド・硝化綿系インキ（混合重量比  ポリアミド：硝化綿＝５：５〜７：３）などを用いることができる。
一方、基材フィルム５１０の内面（又は外面）のうち、少なくとも上記シール部近傍領域以外の領域に、通常の印刷インキや光沢性のあるインキなどを用いて意匠印刷を施す。かかるインキは、特に限定されるものでなく、例えば、光沢性を有するポリアミド系インキ（混合重量比  ポリアミド：硝化綿＝９：１）などを用いることができる。
このようにセンターシール部５１１及び両端シール部５１２を含めたシール部近傍領域に耐熱性インキを用いることにより、この領域に意匠表示を良好に表し、且つ熱溶着することができる。
【００３０】
次に、オーバーラップ包装体１００を製造する手順を説明する。オーバーラップ包装体１００は、外装体４００を組み立てつつ容器３００の外側の一部分を覆って包装体２００を形成する手順と、形成された包装体２００をオーバーラップフィルム５００にて被覆する手順とからなる。
まず、容器３００の上面部３３０（蓋体３２０）に展開シート４０１の中央領域を当てる。続いて、該容器３００を包むように、展開シート４０１の切込部４３２に容器３００のフランジ部３１３を挿入しつつ、各折り目線４０２で展開シート４０１を山折りし、最後に、シート４０１の差込口４４１ａに差込片４４２ａを差し込むことにより、矩形筒状の外装体４００を組み立てる。このようにして包装体２００が形成される。
【００３１】
形成された包装体２００は、オーバーラップフィルム５００を構成するフィルムの内面側に供給される。該フィルムは、順次供給される包装体２００を包み込むように、フィルムの両側端部を重ね合わせて熱溶着されると共に、このセンターシール部５１１によって筒状に形成されたフィルムの両側を溶断シールすることで、包装体２００がオーバーラップフィルム５００にて覆われる。その後、これをシュリンクトンネルなどに導いて所定温度（例えば、温風１５０℃程度）に加熱することにより、オーバーラップフィルム５００が熱収縮する。このようにして、図１〜図３に示すような、包装体２００の外形にオーバーラップフィルム５００が密着してなるオーバーラップ包装体１００を得ることができる。
【００３２】
上記オーバーラップ包装体１００は、意匠印刷の施されたオーバーラップフィルム５００にて包装体２００が被覆されるので、外装体４００で覆われていない部分（例えば容器３００の正面部３７０側や背面部３８０側）にも意匠表示を表すことができる。従って、本実施形態１に係るオーバーラップ包装体１００は、包装体２００の外側ほぼ全体（オーバーラップフィルム５００全体に意匠印刷５２０が施されている場合には、包装体２００の外側全体）に意匠表示を表すことができるため、商品が目立ち、消費者の興味を惹き付けることができる。
また、オーバーラップフィルム５００のほぼ全体（又は全体）に意匠印刷が施されているので、外部からオーバーラップフィルム５００の内部が容易に見えず、オーバーラップ包装体１００の外観を良くすることもできる。
【００３３】
さらに、上記オーバーラップ包装体１００は、オーバーラップフィルム５００が、主として外装体４００の外形（最外部）に沿って密着しているので、容器３００の形状に拘わらず、オーバーラップ包装体１００の外形（オーバーラップフィルム５００の装着外形）は、外装体４００の外形と略同じ形状となっている。
そして、オーバーラップ包装体１００は、意匠印刷の施されたオーバーラップフィルム５００によって、内部に存する容器３００などが外部から殆ど見えないため、消費者は、オーバーラップ包装体１００の外形を見て、矩形状の容器が包装されているものと推測する。その後、オーバーラップフィルムを除去した時点で、初めて円形状の容器３００が包装されていたことが分かることとなる。このように、容器３００は同一のものでも、形態の異なる外装体４００を被せることで、外観上、形態の異なるオーバーラップ包装体１００を構成できる。
本発明のオーバーラップ包装体１００によれば、包装された実際の容器３００とは異なる形状に擬装でき、面白味のある包装形態を提供できる。
【００３４】
なお、本実施形態１に於いて、上面部３３０が平面視略円形状の容器３００に、上面部が平面視矩形状の外装体４００が被せられているが、容器３００の上面部３３０や外装体４００の上面部の形状は、これらに限られるものではなく、適宜変更可能である。例えば、上面部３３０が平面視矩形状、楕円状、三角形状などに形成されている容器３００や、上面部が平面視円形状、楕円状、三角形状などに形成されている外装体４００などを用いることもできる。
もっとも、容器３００と外装体４００の形状が略同様の形状であると、上記のようにオーバーラップ包装体１００の擬装効果を得ることができないので、容器３００と外装体４００は、少なくともその上面部形状が異なるものが好ましい。
【００３５】
また、外装体４００は、容器３００の上面部３３０、下面部３４０及び両側面部３５０，３６０を覆う構成に限定されず、例えば、容器３００の上面部３３０及び両側面部３５０の一部を覆うように形成されているものでもよく、適宜設計変更することができる。
【００３６】
例えば、図７に示すように、容器３００の側面周囲（例えば胴部）に、外装体４００が覆われていてもよい。
具体的には、外装体４００は、矩形状に形成された複数面４７１を、周方向に所定角を以て連結されることにより、多面体の筒状に形成されている。この外装体４００の上面開口部から容器３００が嵌め入れられることにより、包装体２００が構成される。この包装体２００に於いては、容器３００の上面部３３０及び下面部３４０は、外装体４００で覆われておらず、露出した状態となっている。
この外装体４００を構成する展開シート４０１は、図８に示すように、細長い湾曲矩形状に形成された剛性を有するシートからなり、幅方向に伸びて形成された折り目線４０２を介して複数の領域（例えば、１２の領域）に区画されている。展開シート４０１の一方の端部領域の中央部には、差込口４４１ａが形成され、且つ他方の端部領域の中央縁部には、差込片４４２ａが突設されている。
【００３７】
上記容器３００の側面周囲に多面体状の外装体４００が覆われてなる包装体２００に、オーバーラップフィルム５００を被覆することにより、オーバーラップ包装体１００が構成される。
この変形例に係るオーバーラップ包装体１００は、例えば、側面周囲が円筒状の容器が包装されていても、オーバーラップ包装体１００の側面周囲の形状は多面体状となる。よって、該オーバーラップ包装体１００は、包装された実際の容器３００とは異なる形状に擬装できる。
尚、容器３００の側面周囲を覆う上記外装体４００は、１２面体状のものを例示しているが、これに限定されず、４面体、６面体などその他の形状に変更することもできる。
【００３８】
（実施形態２）
本実施形態２は、複数の容器３００が外装体４００に保持されている包装体２００を、オーバーラップフィルム５００にて被覆したオーバーラップ包装体１００に関する。以下では、上記実施形態１と異なる部分について主に説明し、実施形態１と同様の部材については同一符号を付し、その説明を適宜省略する場合がある。
【００３９】
本実施形態２における外装体４００は、容器３００の搬送などが便利となるように、複数（例えば、３個）の容器３００を一体包装するためのカップフォルダとしての機能も果たしている。
この外装体４００は、図９及び図１０に示すように、３個の容器３００を１列に並べて保持し、各容器３００の上面部３３０全面と、各容器３００の配列方向と平行な両側面上部を覆う、矩形筒状に形成されている。
具体的には、外装体４００は、各容器３００を嵌入保持する嵌入孔４５０が複数設けられた保持面部４４３と、この保持面部４４３の両側から上方に立ち上がり、且つ各容器３００の両側面上部を覆う両側面部４５１，４６１と、この両側面部４５１，４６１の上端から内側へ折れ曲がり、且つ各容器３００の上面部３３０を覆う上面部４３１と、を備えている。この外装体４００の上面部３３０は、平面視矩形状（長方形状）に形成されている。
かかる外装体４００を、各容器３００の上方部を覆うように各容器３００に被すことにより、包装体２００が構成されている。従って、本実施形態２の包装体２００は、各容器３００の下方部は外装体４００で覆われていない。
【００４０】
外装体４００を構成する展開シート４０１は、図１１に示すように、平面視矩形状に形成された剛性を有するシートからなり、その長手方向長さは、複数（３個）の容器３００を並べて保持できるような長さに形成されている。
展開シート４０１は、長手方向に伸びる折り目線４０２を、短手方向に所定間隔を開けて４本形成することにより、５つの領域に区画されている。この展開シート４０１の中央部には、外装体４００の保持面部４４３を構成する平面視矩形状の中央領域が形成されている。この展開シート４０１の中央領域には、容器３００の中途部を嵌入保持する嵌入孔４５０が所定間隔を開けて複数（３個）形成されている。この嵌入孔４５０は、例えば、容器３００の上面部３３０から１／４高さに於ける水平断面直径よりも若干大きく形成されている。
【００４１】
さらに、展開シート４０１の中央領域の両側には、折り目線４０２を介して、外装体４００の両側面部４５１，４６１を構成する中間領域が形成され、更に、この両側に、折り目線４０２を介して外装体４００の上面部４３１を構成する一対の端部領域が形成されている。
尚、展開シート４０１の一方の端部領域には、３箇所の差込口４４１ａが所定間隔をあけて形成され、且つ他方の端部領域の縁部には、該差込口４４１ａに対応する差込片４４２ａがそれぞれ突設されている。
【００４２】
本実施形態２のオーバーラップ包装体１００は、展開シート４０１の複数の嵌入孔４５０に、各容器３００の中途部を嵌入保持させ、続いて、各容器３００の上部を包むように、各折り目線４０２で展開シート４０１を谷折りして、展開シート４０１の両中間領域を各容器３００の両側面部に立ち上げ、展開シート４０１の両端部領域を各容器３００の上面部３３０に対面させ、最後に、差込口４４１ａに差込片４４２ａを差し込むことにより、矩形筒状の外装体４００を組み立てる。このようにして包装体２００が形成される。
事後、上記実施形態１と同様にして、この包装体２００の周り全体にオーバーラップフィルム５００を熱収縮装着することにより、図９及び図１０に示すような、オーバーラップ包装体１００を得ることできる。
【００４３】
本実施形態２に係るオーバーラップ包装体１００は、意匠印刷の施されたオーバーラップフィルム５００で包装体２００が被覆されるので、外装体４００で覆われていない部分（各容器３００の下方部）にも意匠表示を表すことができる。
従って、本実施形態２に係るオーバーラップ包装体１００も、上記実施形態１と同様に、包装体２００の外側ほぼ全体（又は全体）に意匠表示を表すことができるため、消費者の興味を惹き付けることができ、外観を良くすることもできる。
【００４４】
さらに、本実施形態２のオーバーラップ包装体１００は、外装体４００の上面部４３１が矩形状に形成されているので、消費者は、オーバーラップ包装体１００の上面形状から細長い矩形状の容器が包装されているものと推測し、その後、オーバーラップフィルム５００を除去した時点で、初めて複数の円形状容器３００が包装されていたことが分かることとなる。従って、上記実施形態１と同様に、オーバーラップ包装体１００によれば、包装された実際の容器とは異なる形状に擬装できる。
【００４５】
なお、本実施形態２に於いても、容器３００や外装体４００の形状は、適宜変更することができる。
また、外装体４００に保持する容器３００の数も、３個に限定されるものではなく、例えば、２個や４個以上であってもよい。
さらに、上記実施形態１の図５で示したような外装体４００を長手方向に連続して設けることにより、複数の容器３００を保持し、これをオーバーラップフィルム５００で被覆してもよい。
【００４６】
（実施形態３）
実施形態３は、外装体４００のコーナーが角取りされているオーバーラップ包装体１００に関する。以下では、上記実施形態１及び２と異なる部分について主に説明し、実施形態１及び２と同様の部材については同一符号を付し、その説明を適宜省略する場合がある。
【００４７】
上記各実施形態では、外装体４００の各コーナーには、外装体４００の直交する２つの端辺及び折り目線４０２によって外側へ尖状に突出する角部４８０が形成されているが、本実施形態３のオーバーラップ包装体１００に用いられる外装体４００は、図１２（ａ）に示すように、外装体４００のコーナーが複数の頂点部によって形成されている。
具体的には、外装体４００は、図１２（ａ）に示すように、直交する２つの端辺４８１，４８２及び折り目線４０２によって形成される角部４８０が内側へ向けられている。
この外装体４００のコーナーは、例えば、図１２（ｂ）にも示すように、折り目線４０２の中途部４０５から２つの端辺４８１，４８２の中途部４０６，４０７に、折り目線４０２に対して鈍角状に伸びる直線状の折込み用折り目線４０３，４０３をそれぞれ形成し、該２本の折込み用折り目線４０３で囲われる領域を内側へ折り込む（折り目線４０２を谷折りする）ことによって形成されている。
これにより外装体４００の角部４８０は、内側へ向けられ、外装体４００のコーナーは、折り目線４０２の中途部４０５及び端辺４８１，４８２の中途部４０６，４０７の３つの頂点部によって形成されている。
上記各中途部４０５，４０６，４０７の位置は特に限定されないが、例えば、外装体４００がインスタント麺などの即席食品収納容器３００に装着される場合、各中途部４０５，４０６，４０７は、角部４８０から例えば５〜５０ｍｍ程度離れた位置、特に１０〜３０ｍｍ程度離れた位置が好ましい。
尚、上記外装体４００のコーナーの角取りは、外装体４００の全てのコーナーに於いて施されていることが好ましい。
【００４８】
上記実施形態１及び２に示したオーバーラップ包装体１００は、外装体４００の各面部が平面視矩形状（矩形面部）に形成され、且つ該外装体４００のコーナーに於いて角部４８０が外側へ尖状に突出しているので、この外装体４００の周りにオーバーラップフィルム５００を熱収縮させた際、角部４８０の一点に於いてオーバーラップフィルム５００に大きな収縮応力が加わる。そのため、外装体４００の角部４８０及びこの近傍に於けるフィルム部分と、他のフィルム部分との熱収縮差が極めて大きくなって、オーバーラップフィルム５００に印刷された意匠表示の歪みが大きくなり、場合によっては、オーバーラップフィルム５００自体が破れる虞がある。
この点、本実施形態３のオーバーラップ包装体１００は、外装体４００のコーナーが、折り目線４０２の中途部４０５及び端辺４８１，４８２の中途部４０６，４０７の３つの頂点部に分散されているので、熱収縮装着されるオーバーラップフィルム５００のうち、３つの頂点部近傍に於けるフィルム部分と他のフィルム部分との熱収縮差が小さくなり、意匠表示の歪みを小さくでき、又フィルム破損を防止できる。
【００４９】
尚、外装体４００のコーナーを角取りする方法として、外装体４００の一部を内側へ折り込むことを例示しているが、例えば、図１３（ａ）に示すように、外装体４００の折り目線４０２の中途部４０５から２つの端辺４８１，４８２の中途部４０６，４０７を結ぶ直線状の切除線４０８で、切り取ってもよい。また、図１３（ｂ）に示すように、この切除線４０８は、外側へ膨らんだ曲線状（円弧状）で切り取ることもできる。この場合、外装体４００のコーナーは、連続する複数の頂点部（曲線状の切除線４０８）によって形成されている。このように外装体４００の角部４８０となる領域を切り取る方法でも、上記と同様の効果を奏する。
【００５０】
また、コーナーが角取りされた外装体４００として、例えば、図１４に示すような態様の外装体４００を用いることもできる。
この外装体４００は、容器３００の上面部３３０、下面部３４０及び両側面部を覆う矩形筒状に形成されており、外装体４００の上面部４３１の角部４８０が内側へ折り曲げられていると共に、外装体４００の側面部４５１，４６１の両側部４５１ａ，４６１ａが、前記角部４８０に重なるように内側へ折り曲げられている。
【００５１】
具体的には、外装体４００を構成する展開シート４０１は、図１５に示すように、平面視矩形状の剛性シートから形成され、幅方向に伸びて形成された折り目線４０２を介して４つの領域に区画されている。この４つの領域のうち、図１５に示す上から第１番目及び第３番目の領域が、外装体４００の両側面部４５１，４６１を、第２番目の領域が上面部４３１を、第４番目の領域が下面部４４１をそれぞれ構成している。外装体４００の上面部４３１は、その両側辺が容器３００のフランジ部３１３に沿う円弧状に形成されており、上面部４３１の折り目線４０２の中央部には、容器３００のフランジ部３１３の嵌入可能な切込部４３２が形成されている。
さらに、矩形状に形成された外装体４００の上面部４３１は、その角部４８０から折り目線４０２の中途部４０９にかけて、切り込まれている。上面部４３１には、この中途部４０９から上面部４３１の両側辺の中途部にかけて、折込み用折り目線４０３がそれぞれ形成されている。
また、外装体４００の両側面部４５１，４６１の両側には、中途部４０９を起点として両側面部４５１，４６１の側辺に対して平行に、折込み用折り目線４０３がそれぞれ形成されている。さらに、外装体４００の下面部４４１の各角部４８０には、折込み用折り目線４０３が形成されている。
【００５２】
上記展開シート４０１を容器３００の周りに被せ、外装体４００の上面部４３１及び下面部４４１の角部４８０を、折込み用折り目線４０３を介して内側に折り曲げると共に、外装体の側面部４５１，４６１の両側部４５１ａ，４６１ａを、折込み用折り目線４０３を介して内側へ折り込むことにより、図１４に示すような、包装体２００が構成される。
かかる包装体２００は、矩形状に形成された上面部４３１及び下面部４４１のコーナーが角取りされているので、これに熱収縮装着されるオーバーラップフィルム５００は、その意匠表示の歪みやフィルム破損が防止される。
また、外装体４００の側面部４５１，４６１の両側部４５１ａ，４６１ａが内側に折り曲げられているので、オーバーラップフィルム５００が、外装体４００の側面部４５１，４６１の側辺に接しない。従って、側面部に於けるオーバーラップフィルム５００の意匠表示の歪みを緩和できる。
【図面の簡単な説明】
【００５３】
【図１】実施形態１に係るオーバーラップ包装体の上面図である。
【図２】図１のＡ−Ａ断面におけるオーバーラップ包装体の断面図である。
【図３】図１のＢ−Ｂ断面におけるオーバーラップ包装体の断面図である。
【図４】図１のＡ−Ａ断面における容器の断面図である。
【図５】（ａ）は、外装体の概略斜視図で、（ｂ）は、外装体を構成する展開シートの平面図である。
【図６】（ａ）は、オーバーラップフィルム包装体の側面図で、（ｂ）は、オーバーラップフィルムの一部省略断面図である。尚、（ａ）に於いて、意匠表示が表された領域を薄墨塗りで示す。
【図７】実施形態１の変形例に係る包装体を示し、（ａ）は、その上面図、（ｂ）は、同側面図。
【図８】同外装体の展開シートの平面図である。
【図９】（ａ）は、実施形態２に係るオーバーラップ包装体の上面図で、ｂ）は、その側面図である。
【図１０】図９のＣ−Ｃ断面におけるオーバーラップ包装体の断面図である。
【図１１】実施形態２の外装体を構成する展開シートの平面図である。
【図１２】（ａ）は、実施形態３の外装体の斜視図で、（ｂ）は、同外装体のコーナーの角取りを拡大して示した一部省略斜視図である。
【図１３】（ａ）、（ｂ）共に、同外装体のコーナーの角取りの変形例を拡大して示した一部省略斜視図である。
【図１４】実施形態３の変形例に係る包装体を示し、（ａ）は、その上面図、（ｂ）は、同側面図。
【図１５】同外装体の展開シートの平面図である。
【符号の説明】
【００５４】
１００…オーバーラップ包装体、２００…包装体、３００…容器、３３０…容器の上面部、３１３…フランジ部、４００…外装体、４０１…展開シート、４３１…外装体の上面部（矩形面部）、４８０…外装体の角部、５００…オーバーラップフィルム、５２０…意匠印刷層
【図１】
2007099373.tif 000003
【図２】
2007099373.tif 000004
【図３】
2007099373.tif 000005
【図４】
2007099373.tif 000006
【図５】
2007099373.tif 000007
【図６】
2007099373.tif 000008
【図７】
2007099373.tif 000009
【図８】
2007099373.tif 000010
【図９】
2007099373.tif 000011
【図１０】
2007099373.tif 000012
【図１１】
2007099373.tif 000013
【図１２】
2007099373.tif 000014
【図１３】
2007099373.tif 000015
【図１４】
2007099373.tif 000016
【図１５】
2007099373.tif 000017